(57)【要約】【課題】首の後で誰でも容易に開閉操作できる、操作性に優れた装身具用連結具を提供する。【解決手段】ネックレス等の装身具５０を取り付けるとともにその中央部分１０ａをほぼＵ字形状とするとともに連結ピンの軸受け穴を有する第１の連結部材１０と、ほぼ中央部分２０ａに連結ピンを介して第１の連結部材１０と対になって係合するための孔を設けた第２の連結部材２０と、第１の連結部材１０と第２の連結部材２０とを一定状態に維持するように付勢するねじりコイルばねとを備えるとともに矩形状の留具６０に連結する連結部材の先端部１０ｄ、２０ｃを内側に曲げた構造としたことを特徴とする。【選択図】図１
0003194634.tif 000002
【実用新案登録請求の範囲】
【請求項１】
ネックレス等の装身具５０を取り付けるとともにその中央部分１０ａをほぼＵ字形状とするとともに連結ピン４０の軸受け穴を有する第１の連結部材１０と、ほぼ中央部分２０ａに連結ピン４０を介して前記第１の連結部材１０と対になって係合するための孔２１を設けた第２の連結部材２０と、前記第１の部材１０と前記第２の部材２０とを一定状態に維持するように付勢するねじりコイルばね３０とを備えるとともに矩形状の留具６０に連結する連結部材１０、２０の先端部１０ｄ、２０ｃを内側に曲げた構造としたことを特徴とする装身具用連結具。
【考案の詳細な説明】
【技術分野】
【０００１】  この考案は、ネックレスやブレスレット、アンクレット等のチェーンや紐類を用いた装身具を連結するための装身具用連結具に関する。
【背景技術】
【０００２】  従来、この種の装身具用連結具として代表されるものに特許文献１に示すような装身具用連結具が知られている。すなわち、ネックレス等の装身具５０を取り付けるとともにその中央部分１０ａをほぼＵ字形状とするとともに連結ピンの軸受け穴を有する第１の連結部材１０と、ほぼ中央部分２０ａに連結ピンを介して第１の連結部材１０と対になって係合するための孔を設けた第２の連結部材２０と、第１の連結部材１０と第２の連結部材２０とを一定状態に維持するように付勢するねじりコイルばね３０とを備えている。【０００３】  しかし、ネックレス等の装身具の連結具であるため全体的な美観性を維持するため、全体として非常に小さな構造となっている。従って、このような装身具用連結具を首の後ろ等で操作することは手間がかかった。また、この種の連結具は、指の爪を利用しなければスムーズに開閉操作を行うことが困難であった。特に高齢者やネイルチップ等によるつけ爪をしている者には開閉操作の困難性を一層高めていた。【０００４】  また、この種の引輪方式の連結具の改良に関するアイデアが数多く提案されているが、やはり指の爪による開閉操作を余議なくされている。
【先行技術文献】
【特許文献】
【０００５】
【特許文献１】実用新案登録第３１８２７４１号公報
【考案の概要】
【考案が解決しようとする課題】
【０００６】  しかしながら、このような従来技術においても、首の後ろで容易に開閉操作できるという、操作性に優れた装身具用連結具は提案されていない。【０００７】  そこで本考案は、首の後ろで誰でも容易に開閉操作できる、操作性に優れた装身具用連結具を提供することを目的とする。
【課題を解決するための手段】
【０００８】  本考案による装身具用連結具は、この目的に鑑み、ネックレス等の装身具５０を取り付けるとともにその中央部分１０ａを連結ピン４０の軸受穴を有する第１の連結部材１０と、ほぼ中央部分２０ａに連結ピン４０を介して前記第１の連結部材１０と対になって係合するための孔２１を設けた第２の連結部材２０と、前記第１の部材１０と前期第２の部材２０とを一定状態に維持するように付勢するねじりコイルばね３０とを備え、矩形状の留具６０に連結する連結部材１０，２０の先端部１０ｄ、２０ｃを内側に曲げる構造としたことを特徴とするものである。
【考案の効果】
【０００９】したがって、本考案による装身具用連結具は、首の後ろで容易に操作できるという操作性に優れた装身具用連結具を提供できるという利点がある。また、本考案のような構造とすることにより、簡単に装飾具５０の矩形状の留具６０に開く操作をなくして容易に装着できるとともに、指の腹側で開閉操作可能となったため、高齢者やつけ爪をしている者にとっても極めて容易に着脱操作できるようになった。
【図面の簡単な説明】
【００１０】
【図１】本考案の装身具用連結具の側面図である。
【図２】本考案による装身具用連結具の連結部材１０が閉じた状態の側面図である。
【図３】本考案による装身具用連結具の連結部材１０が開いた状態の側面図である。
【図４】本考案による装身具用連結具の連結部材１０の分解構成図である。
【図５】本考案による装身具用連結具の連結部材１０の開閉動作を分かり易く説明した図である。
【考案を実施するための形態】
【００１１】以下、本考案の装身具用連結具について図面とともに説明する。図１、図２、図３、図４及び図５を参照して本考案による装身具用連結具について説明する。
【００１２】１０は第１の連結部材である。この第１の連結部材１０のほぼ中央部分１０ａは、断面がほぼＵ字形状になるように構成されており、連結ピン４０を軸受するための穴（図示せず）をＵ字形状の両壁の内側に有している。また、第１の連結部材１０はネックレス等のチェーンなどの装身具５０を取り付けた結合輪１０ｂを有している。
【００１３】２０は第２の連結部材であり、第１の連結部材１０と対になって係合して装身具用連結具の外形を構成する。この第２の連結部材２０のほぼ中央部分２０ａには連結ピン４０を挿入するための軸受け孔２１が設けられ、連結ピン４０を介して回転可能な構造となっている。また、この第２の連結部材２０が第１の連結部材１０の結合輪１０ｂ方向と接する側２０ｄは、断面がほぼＵ字形状の溝を有している。
そして、連結部材１０と２０の先端部１０ｄ、２０ｃは矩形状の留具６０に押し込み易くなるように内側に曲げられている。このため、装身具用連結具を開く操作をしなくても、挿入動作のみでスムーズに連結（装着）することが可能になる。
【００１４】３０はねじりコイルばねであり、連結ピン４０を介して第１の連結部材１０と第２の連結部材２０とが開状態と閉状態を維持するよう付勢する。
【００１５】次に、本考案の装身具用連結具の開閉操作について説明する。ネックレス等の装身具５０を取り外す場合は、第２の連結部材２０のＵ字溝の部分２０ｂを指の腹等で押す。第２の連結部材２０は連結ピン４０を中心に回転し、第１の連結部材１０の第１の先端部分１０ｄから離れて開く。この回転動作によって、第２の連結部材２０の第２の先端部分２０ｃは、第１の連結部材１０の先端部分１０ｄから離れて、開口部を形成する。
【００１６】次に、ネックレス等の装身具５０を連結する場合は、矩形状の留具６０先端部分６０ａに対して連結部材１０、２０を閉じた状態のままで挿入すれば、その先端部分１０ｄ、２０ｃが内側に曲がっている形状となっているので、そのままスムーズに連結（装着）することができる。留具６０を矩形状としたのは取り付け時に力が左右に逃げないためである。
【符号の説明】
【００１７】１０      第１の連結部材
２０      第２の連結部材
１０ａ    第１の連結部の内側に曲げられた形状の先端部
２０ｃ    第２の連結部の内側に曲げられた形状の先端部
３０      ねじりコイルばね
４０      連結ピン
５０      装身具
【図１】
0003194634.tif 000003
【図２】
0003194634.tif 000004
【図３】
0003194634.tif 000005
【図４】
0003194634.tif 000006
【図５】
0003194634.tif 000007